(57)【要約】【課題】箱入物品を取り出し易い状態で収納保管することができる物品ホルダを提供する。【解決手段】箱入物品を、その長手方向が前後方向を向くように収容する、金属線材によって形成されたストッカ１０と、このストッカ１０を、その後端部を回動支点として、回動可能に吊り戸棚に支持する支持部材２０とを備えており、支持部材２０は、ストッカ１０を水平状態と所定の前下がりの状態との間の任意の傾斜角度で保持することができるようになっている。支持部材２０は、吊り戸棚の棚板または底板を前側から上下に挟み込む、金属線材によって形成された左右一対の挟持部２１と、この左右一対の挟持部２１の下側に取り付けられた、ストッカ１０を回動可能に支持する後側支持部２２及びストッカ１０を所定の傾斜角度に保持可能な前側支持部２３とを備えている。【選択図】        図１
2016209057.tif 000002
【特許請求の範囲】
【請求項１】
所定の物品が直方体の箱に収容された箱入物品を、その長手方向が前後方向を向くように収容するストッカと、
前記ストッカを前下がりの状態に吊り戸棚に支持する支持部材と
を備え、
前記ストッカは、その前端部に箱入物品が当接する当接部を有し、
前記支持部材は、前記ストッカに収容された箱入物品が自重で前端側に移動可能な傾斜角度で前記ストッカを支持していることを特徴とする物品ホルダ。
【請求項２】
前記ストッカは、複数の箱入物品を左右方向に整列させた状態で収容できるようになっており、
隣接する箱入物品の間には仕切体が設けられている請求項１に記載の物品ホルダ。
【請求項３】
前記支持部材は、吊り戸棚の棚板または底板を挟み込む挟持部を有し、
吊り戸棚の棚板または底板を、その前端側から前記挟持部によって挟み込むことで、吊り戸棚に取り付けるようになっている請求項１または２に記載の物品ホルダ。
【請求項４】
前記ストッカの前端部が開放されている請求項１、２または３に記載の物品ホルダ。
【発明の詳細な説明】
【技術分野】
【０００１】
この発明は、箱に収容した状態で取り扱われるラップフィルムやアルミホイル等の物品を保持する物品ホルダに関する。
【背景技術】
【０００２】
ロール状に巻回されたラップフィルムやアルミホイル等の物品は、直方体の箱に収容された状態で販売されており、ユーザは開封した箱に収容した状態でラップフィルムやアルミホイルを箱から引き出し、箱の蓋フラップに取り付けられたカッター部分で切り取って使用するようになっている。
【０００３】
従って、こういったラップフィルムやアルミホイル等の物品は、箱に収容した状態で、キッチンの吊り戸棚等に収納保管されている。以下、箱に収容されたラップフィルムやアルミホイル等の物品を総称して「箱入物品」という。
【先行技術文献】
【特許文献】
【０００４】
【特許文献１】特開平０９−２８９９４２号公報
【発明の概要】
【発明が解決しようとする課題】
【０００５】
ところで、吊り戸棚は通常高い位置に設置されているので、収納時に箱入物品が吊り戸棚の奥の方に入り込んでしまうことがあり、そういった場合は、次回の使用時に箱入物品を取り出しにくくなるといった問題がある。
【０００６】
また、こういった箱入物品は、頻繁に取り出して使用するものであるので、吊り戸棚に収納した箱入物品の上に他の物品等を収納することができず、吊り戸棚の収納空間を効率よく使用することができないという問題もある。
【０００７】
そこで、この発明の課題は、箱入物品を取り出し易い状態で収納保管することができる物品ホルダを提供することにある。
【課題を解決するための手段】
【０００８】
上記の課題を解決するため、請求項１に係る発明は、所定の物品が直方体の箱に収容された箱入物品を、その長手方向が前後方向を向くように収容するストッカと、前記ストッカを前下がりの状態に吊り戸棚に支持する支持部材とを備え、前記ストッカは、その前端部に箱入物品が当接する当接部を有し、前記支持部材は、前記ストッカに収容された箱入物品が自重で前端側に移動可能な傾斜角度で前記ストッカを支持していることを特徴とする物品ホルダを提供するものである。
【０００９】
また、請求項２に係る発明は、請求項１に係る発明の物品ホルダにおいて、前記ストッカが、複数の箱入物品を左右方向に整列させた状態で収容できるようになっており、隣接する箱入物品の間には仕切体が設けられていることを特徴としている。
【００１０】
また、請求項３に係る発明は、請求項１または２に係る発明の物品ホルダにおいて、前記支持部材は、吊り戸棚の棚板または底板を挟み込む挟持部を有し、吊り戸棚の棚板または底板を、その前端側から前記挟持部によって挟み込むことで、吊り戸棚に取り付けるようになっていることを特徴としている。
【００１１】
また、請求項４に係る発明は、請求項１、２または３に係る発明の物品ホルダにおいて、前記ストッカの前端部が開放されていることを特徴としている。
【発明の効果】
【００１２】
以上のように、請求項１に係る発明の物品ホルダは、前下がりの状態で吊り戸棚に支持された、長手方向が前後方向を向くように箱入物品を収容するストッカが、箱入物品が自重で前端側に移動可能な傾斜角度を有しており、その前端部に箱入物品が当接する当接部を有しているので、箱入物品をストッカに収容する際、箱入物品を吊り戸棚の奥側に押し込んでも、箱入物品は、その前端部が常に当接部に当接した状態でストッカに収容されることになり、箱入物品を取り出しやすいという効果がある。
【００１３】
また、請求項２に係る発明の物品ホルダは、ストッカが、複数の箱入物品を左右方向に整列させた状態で収容できるようになっており、隣接する箱入物品の間には仕切体が設けられているので、長さや種類の異なる複数の箱入物品を個別に取り出しやすい状態で収納することができる。
【００１４】
また、請求項３に係る発明の物品ホルダは、支持部材が、吊り戸棚の棚板または底板を挟み込む挟持部を有し、吊り戸棚の棚板または底板を、その前端側から挟持部によって挟み込むことで、吊り戸棚に取り付けるようになっているので、設置に手間がかからず、ビス止めする場合とは異なり、吊り戸棚を傷つけることもない。
【００１５】
また、請求項４に係る発明の物品ホルダは、ストッカの前端部が開放されているので、ストッカの当接部に当接する箱入物品の前端部を下から突き上げることで、箱入物品の前端部を持ち上げて容易に掴むことができるので、さらに取り出しやすいという効果が得られる。
【図面の簡単な説明】
【００１６】
【図１】この発明に係る物品ホルダの一実施形態を示す斜視図である。
【図２】（ａ）は同上の物品ホルダにおけるストッカを傾斜させた状態を示す正面図、（ｂ）は物品ホルダにおける同上のストッカを水平にした状態を示す正面図である。
【図３】（ａ）は同上の物品ホルダにおけるストッカを傾斜させた状態を示す側面図、（ｂ）は同上の物品ホルダにおけるストッカを水平にした状態を示す側面図である。
【図４】同上の物品ホルダを棚板に装着した吊り戸棚を示す縦断面図である。
【図５】同上の物品ホルダに収容した箱入物品の収容状態を説明するための説明図である。
【図６】同上の物品ホルダに収容した箱入物品の取り出し方法を説明するための説明図である。
【図７】同上の物品ホルダを底板に装着した吊り戸棚を示す縦断面図である。
【図８】物品ホルダの他の実施形態を示す斜視図である。
【図９】同上の物品ホルダを示す側面図である。
【発明を実施するための形態】
【００１７】
以下、実施の形態について図面を参照して説明する。図１〜図３は、ロール状に巻回されたラップフィルムやアルミホイル等の箱入物品ＣＧを収容して保管するための物品ホルダ１を示している。この物品ホルダ１は、同図に示すように、箱入物品ＣＧを、その長手方向が前後方向を向くように収容する、金属線材によって形成されたストッカ１０と、このストッカ１０を、その後端部を回動支点として、回動可能に吊り戸棚に支持する支持部材２０とを備えており、支持部材２０は、ストッカ１０を水平状態と所定の前下がりの状態との間の任意の傾斜角度で保持することができるようになっている。
【００１８】
前記ストッカ１０は、前後方向に延びる左右一対の側枠材１１ａ、１１ａ、側枠材１１ａ、１１ａの前端部から立ち上がる門形の前枠材１１ｂ及び側枠材１１ａ、１１ａの後端部から立ち上がる門形の後枠材１１ｃによって形成された、前後左右を取り囲む枠材１１と、この枠材１１の左右一対の側枠材１１ａ、１１ａを、その前後で左右方向に連結する４本の連結材１２と、箱入物品ＣＧを載せるために、４本の連結材１２に掛け渡された、前後方向に延びる８本の底材１３と、複数の箱入物品ＣＧを左右方向に整列させた状態で収容するために収容空間を左右方向に区画する、２本の連結材１２に連結された門形の仕切材１４とを備えており、８本の底材１３は、隣り合う仕切材１４、１４間に２本づつ配設されている。
【００１９】
前記枠材１１を構成している左右一対の側枠材１１ａ、１１ａの下側には、前から２本目の連結材１２と前から３本目の連結材１２との間の前寄りの位置に、枠材１１の外側に張り出すように、両端部に雄ねじ部が形成された操作軸ＯＳが固着されており、最後位の連結材１２の両端部には、左右一対の側枠材１１ａ、１１ａの近傍に、回動軸ＲＳが挿着されるスリーブ１５、１５が固着されている。
【００２０】
前記支持部材２０は、吊り戸棚の棚板または底板を前側から上下に挟み込む、金属線材によって形成された左右一対の挟持部２１と、この左右一対の挟持部２１の下側に取り付けられた、ストッカ１０の回動軸ＲＳを支持する後側支持部２２と、ストッカ１０の操作軸ＯＳを支持する前側支持部２３とを備えており、左右一対の挟持部２１は後端部で相互に連結されている。
【００２１】
前記後側支持部２２は、門形に屈曲させた所定幅の屈曲片によって形成されており、この屈曲片の左右の下端部にそれぞれ形成された軸挿通孔２２ａに挿通した回動軸ＲＳをストッカ１０のスリーブ１５、１５に挿着することによって、ストッカ１０を回動可能に支持するようになっている。なお、スリーブ１５、１５の存在により、回動軸ＲＳが軸挿通孔２２ａから抜け落ちることはない。
【００２２】
前記前側支持部２３は、門形に屈曲させた屈曲片２３ａと、この屈曲片２３ａの左右の下端部にそれぞれ上端部が固着された左右一対のＵ字線材２３ｂ、２３ｂと、左右一対のＵ字線材２３ｂ、２３ｂを貫通した操作軸ＯＳの左右の雄ねじ部に、左右一対のＵ字線材２３ｂ、２３ｂの内側で枠材１１の側枠材１１ａの近接位置までそれぞれねじ込まれた円形のストッパ２３ｃと、一方のＵ字線材２３ｂをストッパ２３ｃとの間に挟み込むように、ワッシャ２３ｄを介して操作軸ＯＳの一方の雄ねじ部にねじ込まれた蝶ナット２３ｅとから構成されており、蝶ナット２３ｅを締め込んでストッパ２３ｃとワッシャ２３ｄとの間に一方のＵ字線材２３ｂを挟み付けることで、操作軸ＯＳをＵ字線材２３ｂ内の任意の高さ位置に保持することができるようになっている。なお、操作軸ＯＳは、回動軸ＲＳを中心とした円軌道上を移動するので、図３（ａ）、（ｂ）に示すように、ストッカ１０を回動させると、操作軸ＯＳはＵ字線材２３ｂ内で上下方向に移動するだけでなく、前後方向にも移動するので、ストッパ２３ｃ及びワッシャ２３ｄは、操作軸ＯＳがＵ字線材２３ｂ内における前方側に位置しているときも、後方側に位置しているときもＵ字線材２３ｂを挟み込める大きさを有している。
【００２３】
従って、Ｕ字線材２３ｂ内で操作軸ＯＳが移動可能な範囲内において、ストッカ１０を回動させることができ、ストッカ１０を回動させて所定の傾斜角度に設定した状態で、蝶ナット２３ｅを締め込んでストッパ２３ｃとワッシャ２３ｄとの間に一方のＵ字線材２３ｂを挟み付けることで、ストッカ１０をその状態に保持することができるようになっている。
【００２４】
以上のように構成された物品ホルダ１は、例えば、図４に示すように、吊り戸棚ＨＣの棚板ＳＢを、支持部材２０の左右一対の挟持部２１によって、その前側から上下に挟み込むことで、吊り戸棚ＨＣ内に取り付けることができる。
【００２５】
前記ストッカ１０は、長さの短い箱入物品ＣＧをストッカ１０に収容する際、図５に二点鎖線で示すように、箱入物品ＣＧを吊り戸棚ＨＣの奥側に押し込んでも、同図に実線で示すように、自重で前端側に移動してくるような傾斜角度に設定しておくと、箱入物品ＣＧは、その前端部が常に枠材１１の前枠材１１ｂに当接した状態でストッカ１０に収容されることになり、しかも、前枠材１１ｂと最前位置の連結材１２との間は、上下方向に完全に開放されているので、図６に示すように、前枠材１１ｂと最前位置の連結材１２との間において、収容された箱入物品ＣＧを下方側から指で押し上げると、箱入物品ＣＧの前端部が前枠材１１ｂの上側に持ち上がり、その前端部を掴んで手前に引き出すことで、箱入物品ＣＧを容易に取り出すことができる。
【００２６】
また、この物品ホルダ１は、吊り戸棚ＨＣの棚板ＳＢにストッカ１０を吊り下げた状態で取り付けられるので、物品ホルダ１の下方側にも種々の物品を収納することができ、吊り戸棚の収納空間を効率よく使用することができる。
【００２７】
また、この物品ホルダ１は、ストッカ１０が、複数の箱入物品ＣＧを左右方向に整列させた状態で収容するために収容空間を左右方向に区画する門形の仕切材１４を備えているので、長さや種類の異なる複数の箱入物品を個別に取り出しやすい状態で収納することができる。
【００２８】
また、この物品ホルダ１は、支持部材２０が、吊り戸棚ＨＣの棚板ＳＢを挟み込む挟持部２１を有しており、吊り戸棚ＨＣの棚板ＳＢを、その前端側から挟持部２１によって挟み込むことで、吊り戸棚ＨＣに取り付けるようになっているので、設置に手間がかからず、ビス止めする場合とは異なり、吊り戸棚ＨＣを傷つけることもない。
【００２９】
なお、上述した実施形態では、吊り戸棚ＨＣの棚板ＳＢに取り付ける場合について説明したが、これに限定されるものではなく、例えば、図７に示すように、吊り戸棚ＨＣの底板ＢＢを、支持部材２０の左右一対の挟持部２１によって、その前側から上下に挟み込むことで、吊り戸棚ＨＣの外部に取り付けることも可能であり、吊り戸棚の収納空間をさらに効率よく使用することができる。
【００３０】
また、上述した実施形態では、ストッカ１０の傾斜角度を調整可能な物品ホルダ１について説明したが、これに限定されるものではなく、例えば、図８及び図９に示す物品ホルダ２のように、ストッカ１０の傾斜角度を、収容された箱入物品ＣＧが自重で前端側に移動可能な傾斜角度に固定したものであってもよく、その場合は、同図に示すように、支持部材２０Ａを構成している後側支持部２２Ａ及び前側支持部２３Ａを、門形に屈曲させた線材によって形成し、後側支持部２２Ａ及び前側支持部２３Ａの下端部をストッカ１０の枠材１１（側枠材１１ａ、１１ａ）に固着すると共に、後側支持部２２Ａの下端部同士及び前側支持部２３Ａの下端部同士をそれぞれ連結線材２４及び連結線材２５によってそれぞれ連結する構成を採用することができる。
【産業上の利用可能性】
【００３１】
箱に収容した状態で取り扱われるラップフィルムやアルミホイル等の物品を収納する場合に利用することができる。
【符号の説明】
【００３２】
１、２  物品ホルダ
１０  ストッカ
１１  枠材
１１ａ  側枠材
１１ｂ  前枠材（当接部）
１１ｃ  後枠材
１２  連結材
１３  底材
１４  仕切材
１５  スリーブ
２０、２０Ａ  支持部材
２１  挟持部
２２、２２Ａ  後側支持部
２２ａ  軸挿通孔
２３、２３Ａ  前側支持部
２３ａ  屈曲片
２３ｂ  Ｕ字線材
２３ｃ  ストッパ
２３ｄ  ワッシャ
２３ｅ  蝶ナット
２４、２５  連結線材
ＯＳ  操作軸
ＲＳ  回動軸
ＣＧ  箱入物品
ＨＣ  吊り戸棚
ＢＢ  底板
ＳＢ  棚板
【図１】
2016209057.tif 000003
【図２】
2016209057.tif 000004
【図３】
2016209057.tif 000005
【図４】
2016209057.tif 000006
【図５】
2016209057.tif 000007
【図６】
2016209057.tif 000008
【図７】
2016209057.tif 000009
【図８】
2016209057.tif 000010
【図９】
2016209057.tif 000011